(57)【要約】      （修正有）【課題】小便器又は洋便器或いは兼便器に設置する身体を支える寄り添い器、また洗面台、流し台、調理器具の正面に取り付ける身体を支える寄り添い器を提供する。【解決手段】小便器等の前に身体を保持する横断部材1を設け、その横断部材1は身体正面の臍付近に設置する。また、各々の身長に合わせ高さを調整できるように、横断部材1を上下に移動できる構造とし、使用しない場合や未使用時に移動でき、小便器以外の洗面台、流し台、調理器具への取り付けも可能とする。【選択図】図１
2010227358.tif 000002
【特許請求の範囲】
【請求項１】
便器前方に配置された身体を支える寄り添い器であって、その寄り添い器は身体前面の臍付近に当接する横断部材であることを特徴とした身体を支える寄り添い器。
【請求項２】
寄り添い器は小便器、洋便器又は兼便器の排尿受け部前方に配置された横断部材で、その寄り添い器を支える支柱又は支軸は床又は壁或いは便器具から設置することを特徴とした請求項１記載の身体を支える寄り添い器。
【請求項３】
取り付けられた寄り添い器は、使用の際に排尿受け部との間を前後調整できる機構をもつことを特徴とした請求項１又は２に記載の身体を支える寄り添い器。
【請求項４】
寄り添い器は固定又は回転或いは上下動が手動又は自動で、身体正面の臍付近に調整できる機構をもつことを特徴とした請求項１から３いずれか１項に記載の身体を支える寄り添い器。
【請求項５】
横断部材を分割して、各々の横断部材が支柱から可動可能な機構をもつことを特徴とした請求項１から４いずれか１項に記載の身体を支える寄り添い器。
【請求項６】
洗面台、台所の流し台及び調理器具の正面側に、横断部材を取り付けることを特徴とした身体を支える寄り添い器。
【発明の詳細な説明】
【技術分野】
【０００１】
本発明は小便器等を利用する際及び洗面台、流し台及び調理器具を利用する際に、身体を支え安定して安心な姿勢を保てるようにした身体を支える寄り添い器に関する。
【背景技術】
【０００２】
従来の身体手摺は障害者、体の弱い方等健常者以外の方のための目的であることが多く、その手摺も人の胸高さで、そのサイド手摺或は水平手摺を手で握り、身体を安定させて用を足す、又は人体正面の手摺に胸部を当て、体を寄り添って用を足していた。最近の文献では、人体正面の手摺の中ほどをコの字に曲げ、そこに胸部を当てて用を足す、またはその中心部に加工を施し、その間から排尿の方向を確認して用を足せる手摺が出願されているが、胸部で保持する構造のため安定しない等の欠点がある。
【先行技術文献】
【特許文献】
【０００３】
【特許文献１】特開２００２−３４５６９１
【発明の概要】
【発明が解決しようとする課題】
【０００４】
これまでの小便器に設置された身体正面の手摺は身体の障害者、体の弱い方等健常者以外の方のために設置されたものが多く、その設置数も少ないのが実情である。また健常者である者にはその使用には違和感を覚える方も多く、更に最近の若者の間では洋便器に座って用を足す方が多いと言われている。
【０００５】
小便器を使い易く、安定して安心な姿勢で用を足せれば、小便器の利用が増加するはずである。小便器により接近して用を足せれば、小便器やその床面の汚れも減少でき、気分よく用を足すことが可能となる。本発明の課題は小便器又は洋便器或いは兼便器に設置する身体を支える寄り添い器、また洗面台、流し台、調理器具の正面に取り付ける身体を支える寄り添い器を提供することである。
【課題を解決するための手段】
【０００６】
上記課題を解決するために、小便器等の前に身体を支える横断部材を設け、その横断部材は身体正面の臍付近に設置することを第１の特徴とする。また、各々の身長に合わせ高さを調整できるように、横断部材を上下に移動できる構造とした事を第２の特長とし、使用しない場合や未使用時に移動できることを第３の特徴とし、小便器以外の洗面台、流し台、調理器具への取り付けも可能とすることを第４の特徴とする。
【発明の効果】
【０００７】
横断部材により身体を支える部分が身体正面の臍付付近であるため、支え部が身体の中心部である腰の周辺にあることで、横断部材に寄り添ったときに身体が安定して支えられる。また、横断部材に身体を当てることにより、小便器へより接近することができ、小便器やその床面を汚すことが少なくなる。
【０００８】
洗面台、流し台を利用する際、又は調理器具利用する際においても、作業時の姿勢が安定して保たれ、安全性の向上と疲労を抑制する効果も表れる。
【０００９】
排尿時の姿勢が安定し楽な姿勢で排尿でき、洗面台、流し台を利用する際、又は調理器具利用する際において、健常者にも利用が可能となる。
【図面の簡単な説明】
【００１０】
【図１】本発明の設置状態を示す一例の側面図と正面図
【図２】本発明の設置状態を示す一例の平面図
【図３】支柱を床から設置した一例の側面図と正面図
【図４】支柱と横断部材の間に関節機構を設けた一例の側面図と正面図
【図５】壁側の支柱の取り付けにスライド機構を設けた一例の側面図と正面図
【図６】横断部材を分割して使用時に移動する構造の一例の側面図と正面図
【図７】流し台に取り付けた場合の一例の側面図
【図８】流し台及び調理器具に取り付けた場合の一例の平面図と正面図
【図９】洗面台に取り付けた場合の一例の側面図
【発明を実施するための最良の形態】
【００１１】
詳細について実施例をもとに説明する。
【実施例１】
【００１２】
本発明の実施の形態について説明する。本発明は小便器の前に壁からまたは床から或は天井から設けた支柱に、身体正面の臍付近の高さに横断部材を設け、その横断部材に身体を寄せて体制を安定安心して用を足すことで、小便器により接近して排尿できることで、小便器周りを汚すことも少なくなる。横断部材の身体と小便器の距離を調整できるよう、長さを可変できる機能を設けるようにしてもよい。横断部材の取り付け位置は、身体正面の臍付近が望ましいが、胸下から臍下の範囲であってもよい。
【００１３】
本発明の構成は身体正面の臍付近の高さに、小便器の前に壁から設けた支柱の先端に、床面と平行に横断部材を設ける。図１は本発明の設置状態を示す一例の側面図と正面図である。図２は本発明の設置状態を示す一例の平面図である。支柱は壁に取り付けることが望ましいが、床から或は天井から設置してもよい。図３は支柱を床から設置した一例の側面図と正面図である。
【００１４】
横断部材に身体を預けることで、下半身に自然と圧力がかかり、自然と排尿を容易とする。最近は小便を使用せず、洋便器を使用する若者も多くなっているが、この横断部材を利用することで、小便器を気分良く容易に利用でき、小便器の利用の機会も増加するはずである。
【００１５】
横断部材の材質は、木材等の自然材が好ましいが、金属性、樹脂性でもよい。形状は断面形状において丸状、平角状が好ましいが、これに限定するものではなく、強度があって人体に調和できる素材、形態であれば適材である。またそれらの組合せの構成でもよい。
【実施例２】
【００１６】
本発明の身体を支える寄り添い器を使用しない場合、または使用時のみに利用できるようにする場合等、横断部材を一時的に別の位置へ移動できるよう、壁側からの支柱と横断部材の間に、関節機構を設け、その関節部の支点から回転移動可能のように構成してもよい。この場合の移動手段は、手動又は自動で行うように構成してもよい。自動の場合は、モータ等を利用して、電動式にすることが構造的にも容易であり、スイッチの操作で移動できるようにすることが望ましい。図４は支柱と横断部材の間に関節機構を設けた一例の側面図と正面図である。
【実施例３】
【００１７】
身長の違いにより、本発明の身体を支える寄り添い器の位置が身体に合わない場合を考慮して、壁側に取り付ける支柱が上下に移動することで高さを調整できるようにスライド機構を設けてもよい。移動時は手動又は自動で行うようにしてもよい。
図５は壁側の支柱の取り付けにスライド機構を設けた一例の側面図と正面図である。
【実施例４】
【００１８】
横断部材を中央から分割して、各々の横断部材を支柱との接合部分において、可動可能な構成とし、使用時に身体正面の臍付近に移動して利用するようにしてもよい。移動の方法は、上から又は下から回転するように移動する、又は横から移動する方法があるが、どちらを利用してもよい。移動時も手動又は自動で可動することも可能である。
図６は横断部材を分割して使用時に移動する構造の一例の側面図と正面図
【実施例５】
【００１９】
本発明の身体を支える寄り添い器は、小便器等への利用だけでなく、洗面台、流し台又は調理器具の正面側でその上部に取り付けることも可能である。歯磨き、洗面等の洗面台利用の際、料理、食器等の洗い物をする際、調理器具を利用して調理する際等、身体を支える寄り添い器に身を委ねることで、作業時の姿勢が安定して保たれ、安全性の向上と疲労を抑制する効果も表れる。
【００２０】
流し台と調理器具が並列に並んでいる場合は、流し台で使用する時と調理器具で使用する時に使い分けられるように、支柱を３点設けて流し台と調理器具の間を移動できるような構造にしてもよい。
図７は流し台に取り付けた場合の一例の側面図、図８は流し台及び調理器具に取り付けた場合の一例の平面図と正面図、図９は洗面台に取り付けた場合の一例の側面図である。
【産業上の利用可能性】
【００２１】
この身体を支える寄り添い器は、工業生産が可能であり、その本体をトイレや台所などに設置する工事等にも利用することができる。
【符号の説明】
【００２２】
１  小便器                             ６  上へ移動した横断部材
２  支柱                                ７ スライド機構部
３  横断部材                          ８  流し台
４  身体が接する部                  ９  調理器具
５  関節機構部                      １０  洗面台
【図１】
2010227358.tif 000003
【図２】
2010227358.tif 000004
【図３】
2010227358.tif 000005
【図４】
2010227358.tif 000006
【図５】
2010227358.tif 000007
【図６】
2010227358.tif 000008
【図７】
2010227358.tif 000009
【図８】
2010227358.tif 000010
【図９】
2010227358.tif 000011
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
便器前方に、床又は壁から配置された支柱へ、身体前面の臍付近に取付られる横断部材において、身長の違いによっても横断部材が臍付近に当接させるために、横断部材の高さ調整が可能のようにスライド機構をもつことを特徴とする身体を支える寄り添い器。
【請求項２】
台所の流し台及び調理器具の正面に取付けられる横断部材において、横断部材が流し台と調理器具の間を移動可能のように支柱３点を用いて取付られることを特徴とする身体を支える寄り添い器。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
小便器の前方に、壁から配置された支柱の先端に取付けられる横断部材において、前記横断部材が身体正面の臍付近に設置されるよう、壁に取付けられる支柱の固定部に、上下に移動可能なスライド機構を設け、前記支柱の中間付近であって、壁と横断部材の間に回転可能な関節機構を設けることを特徴とする身体を支える寄り添い器。